(57)【要約】      （修正有）【課題】２つの照明光のうち一方の照明光によって、他方の照明光用の蛍光体が蛍光を発することを防止する内視鏡装置及び内視鏡用アダプタを提供する。【解決手段】挿入部と、挿入部の先端側に設けられ、蛍光体FLを有し、白色光を出射する発光部３３Aと、挿入部の先端側に設けられ、蛍光体FLを蛍光させる波長の光を含む紫外光を出射する発光部３３Bと、発光部３３Bから出射される紫外光が発光部３３Aの蛍光体FLに当たらないように、発光部３３Aの前面に設けられ、紫外光をカットする紫外線カットフィルタ３５と、を有する。【選択図】図５
2017003711.tif 000002
【特許請求の範囲】
【請求項１】
挿入部と、
前記挿入部の先端側に設けられ、蛍光体を有し、第１の光を出射する第１の発光部と、
前記挿入部の先端側に設けられ、前記蛍光体を蛍光させる波長の光を含む第２の光を出射する第２の発光部と、
前記第２の発光部から出射される前記第２の光が前記第１の発光部の前記蛍光体に当たらないように、前記第１の発光部の前面に設けられ、前記第２の光をカットするフィルタと、
を有することを特徴とする内視鏡装置。
【請求項２】
前記第１の発光部と前記第２の発光部を搭載する支持部材を有し、
前記第１の発光部は、前記支持部材に設けられた凹部内に配置され、
前記フィルタは、前記凹部を覆うように設けられていることを特徴とする請求項１に記載の内視鏡装置。
【請求項３】
前記支持部材は、段差部を有し、
前記フィルタは、前記段差部に配置されることを特徴とする請求項２に記載の内視鏡装置。
【請求項４】
前記第２の発光部及び前記フィルタを覆うカバー部材を有することを特徴とする請求項１から３のいずれか１つに記載の内視鏡装置。
【請求項５】
前記第２の発光部を覆うカバー部材を有することを特徴とする請求項１から３のいずれか１つに記載の内視鏡装置。
【請求項６】
前記第１の発光部及び第２の発光部が取り付けられる取付部材を有し、
前記取付部材は、前記第１の発光部と前記第２の発光部を互いに離れた位置でそれぞれ支持することを特徴とする請求項１に記載の内視鏡装置。
【請求項７】
前記第１の発光部と前記第２の発光部は、前記挿入部の先端部に着脱可能なアダプタに設けられていることを特徴とする請求項１から６のいずれか１つに記載の内視鏡装置。
【請求項８】
前記アダプタは、直視又は側視用のアダプタであることを特徴とする請求項７に記載の内視鏡装置。
【請求項９】
前記第１の発光部と前記第２の発光部は、前記挿入部の先端部に設けられていることを特徴とする請求項１から６のいずれか１つに記載の内視鏡装置。
【請求項１０】
前記第１の発光部及び前記第２の発光部の各々は、発光素子を有することを特徴とする請求項１から９のいずれか１つに記載の内視鏡装置。
【請求項１１】
前記第１の発光部及び前記第２の発光部の少なくとも一方は、光源からの光を導光するライトガイドを有することを特徴とする請求項１から９のいずれか１つに記載の内視鏡装置。
【請求項１２】
内視鏡の挿入部に装着可能な内視鏡用アダプタであって、
蛍光体を有し、第１の光を出射する第１の発光部と、
前記蛍光体を蛍光させる波長の光を含む第２の光を出射する第２の発光部と、
前記第２の発光部から出射される前記第２の光が前記第１の発光部の前記蛍光体に当たらないように、前記第１の発光部の前面に設けられ、前記第２の光をカットするフィルタと、
を有することを特徴とする内視鏡用アダプタ。
【発明の詳細な説明】
【技術分野】
【０００１】
本発明は、内視鏡装置及び内視鏡用アダプタに関し、特に、少なくとも２種類の照明光を出射する内視鏡装置、及びそのような内視鏡装置の挿入部に装着される内視鏡用アダプタに関する。
【背景技術】
【０００２】
内視鏡装置が、工業分野及び医療分野で広く利用されている。内視鏡装置は細長の挿入部を有し、挿入部を被検体内に挿入することにより被検体内を検査することができる。  
挿入部の先端部には観察窓が配置され、内視鏡装置は、観察窓を通して入射した被検体内の検査部位からの光を撮像素子により受光して、検査部位の内視鏡画像を生成して、モニタに表示する。
【０００３】
通常は、照明光として白色光を検査部位に照射するが、検査の目的によっては、白色光に代えて、白色光以外の照明光を検査部位に照射することができる内視鏡装置もある。  
例えば、特開２００３−１９００９１号公報に開示のように、生体組織を励起させて自家蛍光を生じさせる紫外光を出射する発光素子と、可視光を出射する発光素子の２種類の発光素子を有し、２種類の光を交互に出射可能な内視鏡装置も提案されている。
【０００４】
また、工業分野では、検査対象によっては、白色光に代えて紫外光を照明光として照射して検査を行う場合がある。例えば、蛍光剤を配管内壁に塗布した後に拭き取り、紫外光を照射することにより細かな傷に入り込んだ蛍光剤を光らせて、配管内の細かな傷を検査する蛍光探傷法がある。
【先行技術文献】
【特許文献】
【０００５】
【特許文献１】特開２００３−１９００９１号公報
【発明の概要】
【発明が解決しようとする課題】
【０００６】
しかし、これらの内視鏡装置では、紫外光と白色光が照明光として被写体に同時に出射されることはないが、紫外光が白色光用の蛍光体を蛍光させる波長の光を含む場合、出射された紫外光が白色光用の蛍光体に当たって、その蛍光体が発光してしまうという問題がある。特に、内視鏡の挿入部は、狭い空間内に挿入されるため、白色光の出射部と紫外光の出射部は、互いに近接した位置に配置される。
【０００７】
紫外光照射時に白色光の蛍光体からの光があると、紫外光による観察画像中に、白色光の蛍光体の蛍光による被写体の画像が重畳されるため、検査者は、紫外光による蛍光画像のみを識別し難い場合がある。
【０００８】
例えば、工業分野における上述した蛍光探傷法が実施されるとき、紫外光を出射する照明ユニットが挿入部に装着される。配管内壁の傷に入り込んだ蛍光剤は、紫外光により発光するが、配管内に残ったウエスの繊維等に蛍光剤が含まれていると、繊維等も発光し、繊維等を傷と誤認識してしまう。
【０００９】
そのため、配管中のある場所において内視鏡画像中で発光しているものが傷であるかウエス等であるか不明なときは、検査者は、配管内から挿入部を一旦引き抜き、白色光を出射する照明ユニットを挿入部に装着して、再度配管内に挿入して同じ場所まで挿入部の先端部を位置させて、再検査を行うという作業を行わなければならない。その結果、検査者は、白色光によりウエス等の有無を確認することができるが、全体の検査時間が長くなってしまう。
【００１０】
そこで、本発明は、２つの照明光のうち一方の照明光によって、他方の照明光用の蛍光体が蛍光を発することを防止する内視鏡装置及び内視鏡用アダプタを提供することを目的とする。
【課題を解決するための手段】
【００１１】
本発明の一態様の内視鏡装置は、挿入部と、前記挿入部の先端側に設けられ、蛍光体を有し、第１の光を出射する第１の発光部と、前記挿入部の先端側に設けられ、前記蛍光体を蛍光させる波長の光を含む第２の光を出射する第２の発光部と、前記第２の発光部から出射される前記第２の光が前記第１の発光部の前記蛍光体に当たらないように、前記第１の発光部の前面に設けられ、前記第２の光をカットするフィルタと、を有する。
【００１２】
本発明の一態様の内視鏡用アダプタは、内視鏡の挿入部に装着可能な内視鏡用アダプタであって、蛍光体を有し、第１の光を出射する第１の発光部と、前記蛍光体を蛍光させる波長の光を含む第２の光を出射する第２の発光部と、前記第２の発光部から出射される前記第２の光が前記第１の発光部の前記蛍光体に当たらないように、前記第１の発光部の前面に設けられ、前記第２の光をカットするフィルタと、を有する。
【発明の効果】
【００１３】
本発明によれば、２つの照明光のうち一方の照明光によって、他方の照明光用の蛍光体が蛍光を発することを防止する内視鏡装置及び内視鏡用アダプタを提供することができる。
【図面の簡単な説明】
【００１４】
【図１】本発明の第１の実施の形態に係わる検査システムの構成を示す構成図である。
【図２】本発明の第１の実施の形態に係わる照明ユニット３の斜視図である。
【図３】本発明の第１の実施の形態に係わる、照明ユニット３に設けられた２つの発光モジュールの位置関係を説明するための照明ユニット３の上面図である。
【図４】本発明の第１の実施の形態に係わる発光モジュールの部分斜視図である。
【図５】本発明の第１の実施の形態に係わる発光モジュール２３の軸に直交する発光モジュール２３の断面図である。
【図６】本発明の第１の実施の形態の変形例１に係わる発光モジュール２３Aの構成を示す、発光モジュール２３Aの軸C2に直交する発光モジュール２３Aの断面図である。
【図７】本発明の第１の実施の形態の変形例２に係わる、発光モジュール２３Bの軸に直交する発光モジュール２３Bの断面図である。
【図８】本発明の第１の実施の形態の変形例２に係わる、カバーガラスが複数の発光部３３Bのみを覆う、発光モジュール２３Baの軸に直交する発光モジュール２３Baの断面図である。
【図９】本発明の第１の実施の形態の変形例３に係る、照明ユニット３Aの斜視図である。
【図１０】本発明の第１の実施の形態の変形例３に係る、照明ユニット３Aに設けられた４つの発光モジュールの位置関係を説明するための照明ユニット３Aの上面図である。
【図１１】本発明の第２の実施の形態に関わる、直視用の観察ユニット５に装着可能な照明ユニット３Bの斜視図である。
【図１２】本発明の第３の実施の形態に関わる、紫外光用の発光部と白色光用の発光部にライトガイドを用いた検査システム１Aの構成を示す構成図である。
【図１３】第１及び第２の実施の形態の変形例に係わる、照明ユニット内に切替回路を設けた検査システム１Bの構成を示す構成図である。
【発明を実施するための形態】
【００１５】
以下、図面を参照して本発明の実施の形態を説明する。
（第１の実施の形態）
（検査システムの構成）
図１は、本実施の形態に関わる検査システムの構成を示す構成図である。検査システム１は、配管の内部に挿入される挿入部２と、照明ユニット３と、制御装置４とを備える側視用内視鏡装置である。
【００１６】
挿入部２は、観察ユニット５とケーブル６とから構成された内視鏡を構成する。  
観察ユニット５は、略円柱形状を有し、挿入部２の先端に設けられている。ケーブル６の先端は、観察ユニット５の基端に接続されている。観察ユニット５は、対物光学系（図示せず）と、撮像素子５ａ（図２）を有し、配管内壁を撮像可能な側視用の観察ユニットである。
【００１７】
観察ユニット５は、小径用の位置調整機構７を備えている。位置調整機構７は、挿入部２を例えば７０ｍｍの内径を有する配管内に挿入したときに、配管内における観察ユニット５の位置を調整し規定するためのユニットである。
【００１８】
さらに、検査システム１は、大径用の位置調整機構８を備えている。位置調整機構８は、挿入部２を例えば２００ｍｍの内径を有する配管内に挿入したときに、配管内における観察ユニット５の位置を調整し規定するためのユニットである。
【００１９】
位置調整機構７と８は、それぞれ、配管の内周面に当接し回転可能な複数のローラ７ａと８ａ、各ローラ７ａ、８ａの径方向における位置を調整する機構などを有している。位置調整機構７と８により、観察ユニット５の対物光学系の光軸C1（図２）が配管の軸と一致するように観察ユニット５の位置が調整される。さらに、観察ユニット５は、撮像素子５ａを有する先端部分を光軸C1周りに回動させる駆動モータを内蔵している。
【００２０】
挿入部２及び位置調整機構７と８の構成例は、特許第５４７９８２２号公報にも開示されている。  
アダプタ形式の照明ユニット３は、観察ユニット５の先端部に装着可能に構成されている。照明ユニット３の構成については、後述する。
【００２１】
制御装置４は、挿入部２のケーブル６の基端が接続された電源ボックス１１と、ケーブル１２により電源ボックス１１と電気的に接続されたパーソナルコンピュータ１３を含む。電源ボックス１１とパーソナルコンピュータ１３には、それぞれ電源ケーブル１４とACアダプタ１５が接続され、所定の電力が供給されている。  
制御部としてのパーソナルコンピュータ１３は、検査者であるユーザが各種命令を入力するキーボード１３ａ、カーソルの位置変更のためのタッチパッド１３ｂ、及び各種メニュー画面及び内視鏡画像を表示する表示部１３ｃを有する。
【００２２】
パーソナルコンピュータ１３は、ケーブル１２、電源ボックス１１、及びケーブル６を通して、照明ユニット３の発光モジュール、観察ユニット５の駆動モータに制御信号や電力を送ったり、観察ユニット５から撮像信号を受信したりすることができる。
【００２３】
ユーザは、検査対象である配管の内径に応じて、必要ならば観察ユニット５に位置調整機構８を装着して、挿入部２を配管内に挿入する。検査者は、パーソナルコンピュータ１３に対して、必要な命令を入力して、配管内の内視鏡画像を表示部１３ｃに表示させたり、パーソナルコンピュータ１３の記憶装置に内視鏡画像データを記録したり、照明ユニット３の照明光の切替を行うこともできる。
（照明ユニットの構成）
図２は、照明ユニット３の斜視図である。図３は、照明ユニット３に設けられた２つの発光モジュールの位置関係を説明するための照明ユニット３の上面図である。図４は、発光モジュールの部分斜視図である。図５は、発光モジュール２３の軸に直交する発光モジュール２３の断面図である。
【００２４】
図２に示すように、照明ユニット３は、矢印Aで示す方向に沿って挿入部２の先端部に装着可能な内視鏡用アダプタである。そのため、照明ユニット３は、観察ユニット５の先端部に装着するためのフレームとしての基体２１を有している。照明ユニット３は、観察ユニット５の先端部に着脱可能に装着される。基体２１は、観察ユニット５の先端部に照明ユニット３を嵌合させて装着するための装着部２１ａを有している。
【００２５】
照明ユニット３は、基体２１に取り付けられたプリズム２２と、一対の発光モジュール２３を有する。  
基体２１は、プリズム２２を固定する固定部２１ｂを有する。プリズム２２は、固定部２１ｂに設けられた開口部２１ｃからの光を入射して、プリズム２２で反射させて、被写体からの光を観察ユニット５の撮像素子５ａへ導光する。図２において、被写体からの光Lは、一点鎖線で示すように、プリズム２２の反射面２２ａで反射して、撮像素子５ａに入射する。固定部２１ｂは、プリズム２２の長方形の一面に嵌合し、プリズム２２の位置と向きを規定する。
【００２６】
２つの発光モジュール２３の各々は、白色光用の複数の発光部３３Aと、紫外光用の複数の発光部３３Bとを有する。複数の発光部３３Aは、発光素子である複数の発光ダイオード（以下、LEDという）素子LED1を含む。紫外光用の複数の発光部３３Bは、発光素子である複数のLED素子LED2を含む。各発光モジュール２３は、円柱形状を有する。  
複数のLED素子LED1の各々は、青色光を出射し、各LED素子LED1には、青色光を励起光として黄色に発光する蛍光体FLが塗布されている。なお、ここでは、蛍光体FLは、青色光よりも短波長の光でも励起されて黄色に発光する。すなわち、白色光用の各発光部３３Aは、青色光を出射する複数のLED素子LED1と、蛍光体FLとを含む。
【００２７】
複数のLED素子LED2の各々は、紫外光を出射する。LED素子LED2が発光する紫外光には、白色光用の蛍光体FLを蛍光させる波長の光が含まれている。  
照明ユニット３を観察ユニット５に装着したときには、照明ユニット３と観察ユニット５のそれぞれに備えられている不図示の電気接点が互いに接続され、制御装置４から照明ユニット３に所定の電力が供給される。
すなわち、各発光部３３Aは、挿入部２の先端側に設けられ、蛍光体FLを有し、白色光を出射する発光部であり、各発光部３３Bは、挿入部２の先端側に設けられ、蛍光体FLを蛍光させる波長の光を含む紫外光を出射する発光部である。
そして、複数の発光部３３Aと複数の発光部３３Bは、挿入部２の先端部に着脱可能なアダプタである照明ユニット３に設けられている。
【００２８】
各発光モジュール２３は、透明な樹脂製あるいはガラス製の、カバーガラスとしての円筒部材３１Aと、円筒部材３１A内に、断面が略半円柱形状で放熱性の高い金属製、例えばアルミニウム製、の支持部材３２Aと、複数の発光部３３Aが実装された基板３４Aと、複数の発光部３３Bが実装された基板３４Bとを有して構成されている。支持部材３２Aは、段差部Dを有する。円筒部材３１Aは、青色の短波長の光から可視光までの光を透過する。また、円筒部材３１Aは、内部の素子に対する防水機能も有している。
【００２９】
図５に示すように、各基板３４Aは、略半円柱形状の支持部材３２Aの段差部Dの低い方の平面部分PA上に形成された凹部PAD内に嵌合されて接着剤で貼り付けられて搭載される。各基板３４A、３４B、及び凹部PADは、支持部材３２Aの軸C2に沿って細長い形状を有している。複数の発光部３３Aは、照明ユニット３を観察ユニット５に装着したときに光軸C1に沿って基板３４A上に並ぶように配置されている。
すなわち、支持部材３２Aには、複数の発光部３３Aと複数の発光部３３Bが搭載され、複数の発光部３３Aは、支持部材３２Aに設けられた凹部PAD内に配置されている。
【００３０】
紫外線カットフィルタ３５は、複数の発光部３３Aを覆う形状を有し、支持部材３２Aの段差部Dの低い方の平面部分PA上に設けられている。より具体的には、紫外線カットフィルタ３５は、複数の発光部３３Aを覆い、紫外線が複数の発光部３３Aに当たらないように設けられている。
すなわち、紫外線カットフィルタ３５は、凹部PADを覆うように段差部Dに配置されて設けられ、各発光部３３Bから出射される紫外光が各発光部３３Aの蛍光体FLに当たらないように、各発光部３３Aの前面に設けられ、紫外光をカットするフィルタである。
【００３１】
図５に示すように、各基板３４Bは、略半円柱形状の支持部材３２Aの段差部Dの高い方の平面部分PB上に接着剤で貼り付けられて搭載される。複数の発光部３３Bは、照明ユニット３を観察ユニット５に装着したときに光軸C1に沿って基板３４B上に並ぶように配置されている。  
以上のように、複数の発光部３３Aと３３Bは、挿入部２の先端部に着脱可能な内視鏡用アダプタである照明ユニット３に設けられている。
【００３２】
なお、図３では、紫外光用の発光部３３Bが、白色光用の発光部３３Aよりも、プリズム２２の入射面２２ｂに近い方に配置されているが、白色光用の発光部３３Aが、紫外光用の発光部３３Bよりも、プリズム２２の入射面２２ｂに近い方に配置されるようにしてもよい。
【００３３】
さらになお、本実施の形態では、照明ユニット３は、挿入部２の先端部に着脱可能に構成されているが、挿入部２の先端部に固定されていてもよく、その場合、複数の発光部３３Aと３３Bは、挿入部２の先端部に設けられる。
【００３４】
また、略半円柱形状の支持部材３２Aは、照明ユニット３を観察ユニット５に装着したときに、それぞれ支持部材３２Aの軸C2が観察ユニット５の光軸C1と平行になるように配置される。さらに、２つの支持部材３２Aの平面部分PA、PBが互いに平行になるように、２つ発光モジュール２３は、装着部２１ａに固定されている。
【００３５】
よって、各支持部材３２Aの略半円形形状の段差部Dの平面部に搭載された基板３４Aと３４Bも互いに平行になるように配置され、複数の発光部３３Aと３３Bも、光の出射方向LLが同じ方向になるように、基板３４Aと３４B上に配置されている。
【００３６】
一対の発光モジュール２３の複数の発光部３３A、３３Bからそれぞれ出射された白色光L1及び紫外光L2は、配管の内壁で反射して、反射光が、図３に示すように、観察ユニット５の観察窓としてのプリズム２２の入射面２２ｂに入射する。
【００３７】
図３、４及び５に示すように、複数の発光部３３Bから出射した紫外光L2の反射光を受光しないように、複数の発光部３３Aの前面には、紫外線カットフィルタ３５が配置されている。
【００３８】
以上のように、照明ユニット３が挿入部２の先端部に装着されているとき、各発光部３３Aは、挿入部２の先端側に設けられ、蛍光体FLを有し、白色光を出射しかつ前面に紫外線カットフィルタ３５を有する発光部であり、各発光部３３Bは、挿入部２の先端側に設けられ、蛍光体FLを蛍光させる波長の光を含む紫外光を出射する発光部である。
（作用）
検査者は、白色光による観察を行うときは、パーソナルコンピュータ１３に対して、白色光観察の命令を入力する。パーソナルコンピュータ１３は、その命令に応じて制御信号を観察ユニット５へ出力し、一対の発光モジュール２３の白色光用の複数の発光部３３Aが発光して、照明ユニット３は白色光L1を照明光として出射する。このとき、紫外光用の複数の発光部３３Bは発光しない。
【００３９】
一対の発光モジュール２３から出射された白色光L1は、円筒部材３１Aを透過し、配管の内壁で反射して、反射光が、観察窓であるプリズム２２の入射面２２ｂに入射する。その結果、撮像素子５ａにおいて、光電変換して得られた白色光L1による内視鏡画像が、パーソナルコンピュータ１３の表示部１３ｃに表示される。
【００４０】
また、蛍光剤を配管内壁に塗布した後に拭き取り、紫外光を照射することにより細かな傷に入り込んだ蛍光剤を光らせて、配管内の細かな傷を検査する蛍光探傷法による観察を行うときは、検査者は、パーソナルコンピュータ１３に対して、紫外光観察の命令を入力する。パーソナルコンピュータ１３は、その命令に応じて制御信号を観察ユニット５へ出力し、一対の発光モジュール２３の紫外光用の複数の発光部３３Bが発光して、紫外光L2を照明光として出射する。
【００４１】
一対の発光モジュール２３から出射された紫外光L2は、配管の内壁で反射して、反射光が、図３に示すように、観察窓であるプリズム２２の入射面２２ｂに入射する。その結果、撮像素子５ａにおいて、光電変換して得られた紫外光L2による発光により得られた内視鏡画像が、パーソナルコンピュータ１３の表示部１３ｃに表示される。
【００４２】
このとき、紫外光の一部は、円筒部材３１Aの内周面で反射し、かつ配管の表面で反射する。しかし、白色光用の２つの発光モジュール２３の各発光部３３Aの前面側には、紫外線カットフィルタ３５が設けられているので、各発光部３３Aは、各発光部３３Bから直接的に及び間接的に（すなわち円筒部材３１Aの内面反射及び配管の内面反射による）紫外光L2を受けない。すなわち、紫外線カットフィルタ３５によって、各発光モジュール２４からの紫外光L2は、発光モジュール２３の各発光部３３Aの蛍光体FLに当たらない。
【００４３】
検査対象OBの表面が光沢を有するときは、図５において一点鎖線で示すように、発光部３３Bからの紫外光は、円筒部材３１Aの内周面において反射されるだけでなく、検査対象の表面において反射されるので、そのような反射光も、紫外線カットフィルタ３５によって遮断することができる。  
よって、上述した実施の形態の内視鏡装置によれば、紫外光によって、白色光用の蛍光体FLが光を発することを防止することができる。
【００４４】
次に、本実施の形態の変形例について説明する。なお、各変形例において、上述した実
施の形態と同じ構成要素については、同じ符号を付して説明は省略する。
（変形例１）
上述した実施の形態では、各発光モジュール２３は、透明な樹脂製あるいはガラス製の円筒部材３１Aを有しているが、本変形例１では、円筒部材３１Aが設けられていない。
【００４５】
図６は、本変形例１に係わる発光モジュール２３Aの構成を示す、発光モジュール２３Aの軸C2に直交する発光モジュール２３Aの断面図である。  
本変形例１の発光モジュール２３Aは、円筒部材３１Aがないこと以外は、上述した実施の形態の発光モジュール２３と同一の構成を有する。
【００４６】
本変形例１によっても、紫外光観察のとき、被検体の表面で反射した紫外光は、図６において一点鎖線で示すように、各発光部３３Aの前面側に設けられた紫外線カットフィルタ３５により、各発光部３３Aに入射しない。すなわち、紫外線カットフィルタ３５によって、紫外光L2は、発光モジュール２３Aの各発光部３３Aの蛍光体FLに当たらない。  
よって、上述した本変形例１の内視鏡装置によれば、紫外光によって、白色光用の蛍光体FLが光を発することを防止することができる。
（変形例２）
上述した実施の形態では、各発光モジュール２３の支持部材３２Aは、段差部Dを有する平面部を有し、軸に直交する断面が略半円柱形状を有するが、本変形例２は、支持部材が段差部を有しておらず、複数の発光部３３Aと複数の発光部３３Bは、壁部により覆われて、紫外線カットフィルタが複数の発光部３３Aの前面に配置されている。
【００４７】
図７は、本変形例２に係わる、発光モジュール２３Bの軸に直交する発光モジュール２３Bの断面図である。  
発光モジュール２３Bは、板状の支持部材３２Bの一面上に、壁部を構成する３つの仕切り部材４１、４２、４３が、接着剤などにより固定されている。
【００４８】
３つの仕切り部材４１、４２、４３は、支持部材３２Bの軸方向に沿って延出した板部材である。複数の発光部３３Aは、２つの仕切り部材４１と４２の間に配置され、複数の発光部３３Bは、２つの仕切り部材４２と４３の間に配置される。
【００４９】
２つの仕切り部材４１と４２の上面側には、それぞれ、紫外線カットフィルタ３５が嵌め込まれる段差部４１Aと４２Aが形成されている。  
３つの仕切り部材４１、４２、４３の上面には、複数の発光部３３Aと複数の発光部３３Bを覆う、カバーガラス３１Bが接着剤などにより固定される。カバーガラス３１Bは、複数の発光部３３B及び紫外線カットフィルタ３５を覆うカバー部材を構成する。
【００５０】
図７に示すような構成の発光モジュール２３Bによっても、紫外光による、白色光用の蛍光体FLが光を発することを防止することができる。  
なお、図７では、カバーガラス３１Bは、複数の発光部３３Aと複数の発光部３３Bの両方を覆うが、複数の発光部３３Bのみを覆うようにしてもよい。
【００５１】
図８は、本変形例２に係わる、カバーガラスが複数の発光部３３Bのみを覆う、発光モジュール２３Baの軸に直交する発光モジュール２３Baの断面図である。  
図８に示すように、カバーガラス３１Baは、２つの仕切り部材４２と４３の上面側に形成された段差部４２Bと４３Aに嵌め込まれる。カバーガラス３１Baは、複数の発光部３３Bを覆うカバー部材を構成する。
【００５２】
図８に示すような構成の発光モジュール２３Baによっても、紫外光による、白色光用の蛍光体FLが光を発することを防止することができる。
（変形例３）
上述した実施の形態及び各変形例では、各発光モジュールが、白色光用の複数の発光部３３Aと、紫外光用の複数の発光部３３Bとを有しているが、白色光用の複数の発光部３３Aと、紫外光用の複数の発光部３３Bとを別々の発光モジュールに設けてもよい。
【００５３】
図９は、本変形例３に係る、照明ユニット３Aの斜視図である。図１０は、照明ユニット３Aに設けられた４つの発光モジュールの位置関係を説明するための照明ユニット３Aの上面図である。
【００５４】
照明ユニット３Aは、基体２１に固定された取付部材２１ｄを有し、プリズム２２は基体２１に設けられて固定されている。照明ユニット３Aは、白色光用の一対の発光モジュール２３Wと、紫外光用の一対の発光モジュール２３Vと、を有する。各発光モジュール２３W、２３Vは、略半円柱形状の支持部材３２Aaを有する。２つの発光モジュール２３Wは、アーム部材２１ｅに支持されて固定されている。
【００５５】
２つの発光モジュール２３Wは、支持部材３２Aaに平面部に搭載された、白色光用の複数の発光部３３Aとを有し、２つの発光モジュール２３Vは、支持部材３２Aaに平面部に搭載された、紫外光用の複数の発光部３３Bを有する。
【００５６】
取付部材２１ｄは、４本のアーム部材２１ｅを有し、基体２１にネジなどで固定されている。白色光用の一対の発光モジュール２３Wは、４本のアーム部材２１ｅの先端部にネジ２５により固定されている。図９に示すように、各発光モジュール２３Wは、２本のアーム部材２１ｅの先端部間で保持されるように、取付部材２１ｄに固定される。
照明ユニット３Aは、複数の発光部３３A及び複数の発光部３３Bが取り付けられる取付部材２１ｄを有し、取付部材２１ｄは、複数の発光部３３Aと複数の発光部３３Bを互いに離れた位置でそれぞれ支持する。
【００５７】
さらに、基体２１には、紫外光用の一対の発光モジュール２３Vが固定されている。紫外光用の一対の発光モジュール２３Vは、基体２１に対して接着剤あるいはネジなどの固定手段（図示せず）により固定されている。
【００５８】
略半円柱形状の各支持部材３２Aaは、照明ユニット３を観察ユニット５に装着したときに、各発光モジュール２３W、２３Vの軸C2が観察ユニット５の光軸C1と平行になるように配置される。
【００５９】
各発光モジュール２３Wにおいて、複数の発光部３３Aの前面には、紫外線カットフィルタ３５が設けられている。支持部材３２Aaに平面部には、複数の発光部３３Aを挟むように設けられた２つの壁部３６が設けられ、紫外線カットフィルタ３５は、２つの壁部３６の上部に接着剤などで固定されている。
【００６０】
よって、図９及び図１０に示すような構成の照明ユニット３Aによっても、２つの紫外光用の発光モジュール２３Vから出射した紫外光及び検査対象OBにおいて反射した紫外光により、白色光用の蛍光体FLが光を発することを防止することができる。
【００６１】
なお、上述した例では、白色光用の２つの発光モジュール２３Wが、観察窓に対して、紫外光用の２つの発光モジュール２３Vよりも遠い位置に配置されているが、白色光用の２つの発光モジュール２３Wは、観察窓に対して、紫外光用の２つの発光モジュール２３Vよりも近い位置に配置するようにしてもよい。  
なお、その場合、白色光が観察窓に直接入射しないようにして内視鏡画像にハレーションが発生しない位置に、２つの発光モジュール２３Wは配置される。
（第２の実施の形態）
第１の実施の形態の内視鏡装置は観察ユニット５に側視用の照明ユニット３を装着するものであるが、本実施の形態の内視鏡装置は、直視用の照明ユニット３Bを装着するものである。
【００６２】
図１１は、本実施の形態に関わる、直視用の観察ユニット５に装着可能な照明ユニット３Bの斜視図である。  
本実施の形態の検査システムは、照明ユニットが直視用である以外は、第１の実施の形態の検査システム１と同様の構成であり、検査システム１と同じ構成要素については、同じ符号を付して説明は省略する。
【００６３】
照明ユニット３Bは、図１１において矢印A1で示す方向に沿って観察ユニット５の先端部に装着される。そのため、照明ユニット３Bは、観察ユニット５の先端部に装着するためのフレームとして基体５１を有している。照明ユニット３Bは、観察ユニット５の先端部に着脱可能に装着される。基体５１は、観察ユニット５の先端部に照明ユニット３Bを装着するための装着部５１aを有している。
【００６４】
照明ユニット３Bは、観察窓５２と、一対の発光モジュール５３を有している。  
観察窓５２は、照明ユニット３Bが直視用の観察ユニット５の先端部に装着されたときに、観察ユニット５の先端部に配置された対物光学系に、被写体からの光を入射するための開口部である。観察窓５２には、観察ユニット５の対物光学系の一部を構成するレンズ等が設けられている。
【００６５】
２つの発光モジュール５３は、基体５１から突出した２つの突出部５１bに接着剤あるいはネジなどの固定手段（図示せず）により固定されている。各発光モジュール５３は、円柱形状を有し、紫外光と白色光の両方を出射可能な照明部である。
【００６６】
照明ユニット３Bを観察ユニット５に装着したときには、円柱形状の各発光モジュール５３の軸は、対物光学系の光軸C1に直交する方向になるように、２つの発光モジュール５３は、基体５１に固定される。
【００６７】
図示しないが、照明ユニット３Bが観察ユニット５の先端部に装着されたときに、照明ユニット３Bと観察ユニット５のそれぞれに備えられている不図示の電気接点が互いに接続され、制御装置４から照明ユニット３Bに所定の電力が供給される。
【００６８】
各発光モジュール５３は、上述した図５の発光モジュール２３と同様の構成を有し、複数の発光部３３Aと、複数の発光部３３Bを有している。  
以上のように、複数の発光部３３Aと３３Bは、挿入部２の先端部に着脱可能な直視用のアダプタである照明ユニット３Bに設けられている。
【００６９】
なお、本実施の形態では、照明ユニット３Bは、挿入部２の先端部に着脱可能に構成されているが、挿入部２の先端部に固定されていてもよく、その場合、複数の発光部３３Aと３３Bは、挿入部２の先端部に設けられる。  
よって、本実施の形態の内視鏡装置によれば、２つの照明光のうち一方の照明光によって、他方の照明光用の蛍光体が蛍光を発することを防止することができる。
（第３の実施の形態）
上述した２つの実施の形態及び上述した各変形例では、各発光部が複数のLED素子を有し、紫外光用の発光部には紫外光用のLEDを使用し、白色光用の発光部の各LED素子には、白色光用の蛍光体FLが塗布されているが、各発光部には、LED素子に代えて、光ファイバなどのライトガイドを用いてもよい。
【００７０】
図１２は、本実施の形態に関わる、紫外光用の発光部と白色光用の発光部にライトガイドを用いた検査システム１Aの構成を示す構成図である。  
挿入部２内には、紫外光用のライトガイド６１と白色光用のライトガイド６２が挿通され、制御装置４は、紫外光用の光源６３と白色光用の光源６４とを有する。挿入部２の先端部には照明ユニット３Cが装着可能となっている。照明ユニット３Cは、上述した照明ユニット３及び３Bのいずれかと同様の構成であるが、発光部３３A、３３Bの光源を有さず、白色光用の蛍光体FLと紫外線カットフィルタ３５とを有している。
【００７１】
各ライトガイド６１と６２の基端側は、それぞれ制御装置４に設けられた光源６３と６４に接続されている。各光源６３，６４は所定の光を出射するランプ、LED等を有し、光源６３と６４からの光は、それぞれライトガイド６１と６２の基端に入射し、先端から出射する。
【００７２】
照明ユニット３Cが挿入部２の先端部に装着されたとき、紫外光用のライトガイド６１の先端から出射された光が挿入部２の先端から紫外光を出射し、白色光用のライトガイド６２の先端から出射された光が白色光用の蛍光体FLに照射されて白色光用の発光部から白色光を出射するように、蛍光体FLは、照明ユニット３Cに配置される。蛍光体FLは紫外線カットフィルタ３５により覆われている。
【００７３】
すなわち、上述した各実施の形態各においては、各発光モジュールはLEDの光を利用しているが、本第３の実施の形態では、ライトガイド６１を利用して紫外光を出射し、ライトガイド６２を利用して蛍光体FLを発光させて白色光を出射している。
【００７４】
照明ユニット３Cは、上述した上述した照明ユニット３と３Bのいずれかと同様の構成を有しているので、検査システム１Aにおいても、上述した各実施の形態及び各変形例と同様の効果を得ることができる。
【００７５】
なお、図１２では、紫外光用と白色光用の両方にライトガイドを利用しているが、紫外光用と白色光用のいずれか一方には、ライトガイドを利用し、他方には、LED等の発光素子を利用するようにしてもよい。すなわち、白色光用の発光部と紫外光用の発光部の少なくとも一方が、光源からの光を導光するライトガイド６１，６２を有していてもよい。
【００７６】
以上のように、上述した３つの実施の形態及び各変形例によれば、２つの照明光のうち一方の照明光によって、他方の照明光用の蛍光体が蛍光を発することを防止する内視鏡装置及び内視鏡用アダプタを提供することができる。
【００７７】
ところで、上述した第１及び第２の実施の形態及び各変形例では、白色光用と紫外光用の２つの発光部は照明ユニット３又は挿入部２に設けられている。  
各発光部が挿入部２の先端部に設けられる場合であれば、各発光部への電力供給は、制御装置４から直接行うことができる。
【００７８】
各発光部が挿入部の先端部に着脱可能に装着されるアダプタである照明ユニットに設けられる場合、すなわちアダプタ形式の照明ユニットの場合、照明ユニットの各発光部への電力供給は、挿入部２と照明ユニットとの２以上の接点を介して行われる。例えば、グランド用の接点と、白色光用の電源用接点と、紫外光用の電源用接点の３つの接点で、挿入部２の先端部と照明ユニットとが接続されれば、２つの発光部を個別に発光させることができる。  
しかし、挿入部２のサイズ等から、一対の接点しか挿入部の先端部に設けることができない場合がある。そのような場合、２つの発光部を排他的に発光させることができない。
【００７９】
そこで、照明ユニット内に切替回路を設け、挿入部２と照明ユニットとの一対の電気的接点を介して供給される電力を、切替回路で切り替えて２つの発光部の一方に出力するようにしてもよい。
【００８０】
図１３は、第１及び第２の実施の形態の変形例に係わる、照明ユニット内に切替回路を設けた検査システム１Bの構成を示す構成図である。図１３の検査システム１Bにおいて、上述した第１の実施の形態の検査システム１と同じ構成要素については、同じ符号を付して説明は省略する。
【００８１】
挿入部２と照明ユニット３との電気的な接続は、２つの接点により行われている。なお、図１３では、照明ユニットは、第１の実施の形態の照明ユニット３であるが、照明ユニット３A及び３Bのいずれかである。制御装置４には、照明ユニット３の照明用のスイッチ４ａが設けられている。
【００８２】
図１３に示すように、挿入部２の先端部には、一対の接点７１ａ、７１ｂが設けられており、照明ユニット３には、一対の接点７１ａ、７１ｂに対応する接点７２ａ、７２が設けられている。
【００８３】
照明ユニット３が挿入部２の先端部に装着されると、接点７１ａが接点７２ａと接触し、接点７１ｂが接点７２ｂと接触する。  
挿入部２の先端部には、照明用回路７３が内蔵されている。照明用回路７３は、制御装置４からの電力及び制御信号を受けて、２つの接点７１ａと７１ｂへの発光部駆動信号LCを出力する。
【００８４】
照明ユニット３には、切替回路７４が内蔵されている。２つの接点７２ａと７２ｂは、切替回路７４と電気的に接続されている。切替回路７４は、白色光用の発光部３３Aと、紫外光用の発光部３３Bに接続されている。
【００８５】
接点７２ａと７２ｂからの発光部駆動信号LCが切替回路７４に入力され、切替回路７４は、所定のタイミングで、発光部駆動信号LCの出力先として発光モジュール２３の発光部３３Aと、紫外光用の発光部３３Bのいずれかを選択する。
【００８６】
切替回路７４は、一対の接点７２ａと７２ｂ間に供給される電力の入力回路と、一対の接点７２ａと７２ｂ間の電圧を検出する検出回路と、マイクロコンピュータ等の中央処理装置（CPU）を有する制御回路と、２つの発光部３３Aと、紫外光用の発光部３３Bへの出力回路とを含んで構成されている。
【００８７】
スイッチ４ａを押すと、紫外光用の発光部３３Bがオンされ、さらにスイッチ４ａを押すと、発光部３３Aはオフするように、制御回路は、スイッチ４ａの操作に応じて、２つの発光部３３Aと３３Bへの出力回路を制御する。
【００８８】
さらに、紫外光用の発光部３３Bがオンしている状態で、スイッチ４ａが所定の時間T1以内に連続して２回押されると、紫外光用の発光部３３Bをオフして、白色光用の発光部３３Aをオンするように、制御回路は、スイッチ４ａの操作に応じて、２つの発光部３３A、３３Bへの出力回路を制御する。
【００８９】
さらに、白色光用の発光部３３Aがオンしている状態で、スイッチ４ａが所定の時間T1以内に連続して２回押されると、白色光用の発光部３３Aをオフして、紫外光用の発光部３３Bをオンするように、制御回路は、スイッチ４ａの操作に応じて、２つの発光部３３A、３３Bへの出力回路を制御する。
【００９０】
CPUを有する制御回路がスイッチ４ａの操作を検出して、上述したように、スイッチ４ａのオンされる時間間隔に基づいて２つの発光部３３A、３３Bへの出力回路を制御することによって、挿入部２と照明ユニット３が一対の電気的接点のみにより接続されている場合であっても、２つの発光部の出力を切り替えることができる。
【００９１】
なお、上述した例では、切替回路７４は、CPUを含む制御回路により２つの発光部の出力を切り替えているが、切替回路７４は、抵抗器、コンデンサ等の回路素子からなるアナログ回路により構成されていてもよい。
【００９２】
その場合、入力回路を介して入力される電荷をコンデンサに蓄えるようにして、短い時間間隔でスイッチ４ａが２回押されたときにおけるコンデンサに蓄えられる電荷の変化レベルに応じて、２つの発光部３３A、３３Bへの出力回路の出力を変更するように、切替回路７４は構成される。
【００９３】
よって、上述した検査システム１Bによれば、照明ユニット内に切替回路を設け、挿入部２と照明ユニットとの一対の電気的接点を介する電力を、切替回路で切り替えて２つの発光部の一方に出力して、白色光用の発光部３３Aと紫外光用の発光部３３Bを切り替えることができる。
【００９４】
以上のように、上述した各実施の形態及び各変形例によれば、２つの照明光のうち一方の照明光によって、他方の照明光用の蛍光体が蛍光を発することを防止する内視鏡装置及び内視鏡用アダプタを提供することができる。
【００９５】
本発明は、上述した実施の形態に限定されるものではなく、本発明の要旨を変えない範囲において、種々の変更、改変等が可能である。
【符号の説明】
【００９６】
１、１A、１B  検査システム、２  挿入部、３、３A、３B、３C  照明ユニット、４  制御装置、４ａ  スイッチ、５  観察ユニット、５ａ  撮像素子、６  ケーブル、７  位置調整機構、７ａ  ローラ、８  位置調整機構、１１  電源ボックス、１２  ケーブル、１３  パーソナルコンピュータ、１３ａ  キーボード、１３ｂ  タッチパッド、１３ｃ  表示部、１４  電源ケーブル、１５  アダプタ、２１  基体、２１ａ         装着部、２１ｂ  固定部、２１ｃ  開口部、２１ｄ  取付部材、２１ｅ  アーム部材、２２  プリズム、２２ａ  反射面、２２ｂ  入射面、２３、２３A、２３B、２３Ba、２３V、２３W、２４  発光モジュール、２５  ネジ、３１A         円筒部材、３１B、３１Ba  カバーガラス、３２A、３２Aa、３２B  支持部材、３３A、３３B  発光部、３４A、３４B  基板、３５  紫外線カットフィルタ、３６  壁部、４１  仕切り部材、４１A  段差部、４２  仕切り部材、４２B  段差部、４３  仕切り部材、５１  基体、５１a  装着部、５１b  突出部、５２  観察窓、５３  発光モジュール、６１，６２  ライトガイド、６３  光源、６３，６４  光源、７１ａ、７１ｂ、７２ａ、７２ｂ         接点、７３  照明用回路、７４  切替回路。
【図１】
2017003711.tif 000003
【図２】
2017003711.tif 000004
【図３】
2017003711.tif 000005
【図４】
2017003711.tif 000006
【図５】
2017003711.tif 000007
【図６】
2017003711.tif 000008
【図７】
2017003711.tif 000009
【図８】
2017003711.tif 000010
【図９】
2017003711.tif 000011
【図１０】
2017003711.tif 000012
【図１１】
2017003711.tif 000013
【図１２】
2017003711.tif 000014
【図１３】
2017003711.tif 000015